(57)【要約】【課題】本願発明は、蓋の開放を回転部材の回転で行うようにすることにより、片手で飲料容器を持ち同じ手の指の操作で蓋の開放を可能にしてなる飲料容器を提供することを目的とする。【解決手段】容器本体と、該容器本体に取り付けられる中蓋部材と、該中蓋部材に取り付けられ係合が解除されるとバネ力により自動的に解放する外蓋部材と、取手を有する飲料容器において、前記外蓋部材との係合及び解除を行う回転部材を設け、片手で前記取手を持ち、持った手の指で前記回転部材を回転し前記外蓋部材の係合を解除する飲料容器。【選択図】図１７
2008239164.tif 000002
【特許請求の範囲】
【請求項１】
容器本体と、該容器本体に取り付けられる中蓋部材と、該中蓋部材に取り付けられ係合が解除されるとバネ力により自動的に解放する外蓋部材と、取手を有する飲料容器において、前記外蓋部材との係合及び解除を行う回転部材を設け、片手で前記取手を持ち、持った手の指で前記回転部材を回転し前記外蓋部材の係合を解除することを特徴とする飲料容器。  
【請求項２】
前記外蓋部材にロック部材を設け、該ロック部材のロック時には前記回転部材は回転しないことを特徴とする請求項１記載の飲料容器。  
【請求項３】
前記回転部材に回転方向とは逆方向に作用する弾性部材を設けることを特徴とする請求項１又は２記載の飲料容器。
【請求項４】
前記回転部材の外周であって前記取手の上方位置に前記回転部材を回転するための指係止部を設けることを特徴とする請求項１ないし３のいずれか一記載の飲料容器。  
【発明の詳細な説明】
【技術分野】
【０００１】
本願発明は、回転部材の回転により蓋を解放する飲料容器の蓋構造に関するものである。
【背景技術】
【０００２】
近時、蓋体をワンタッチで開くことのできるマグカップ、携帯用魔法瓶、水筒、スポーツドリンク用容器等の携帯用飲料容器が広く出回っている。図１８にその一例を示す。
【０００３】
図１８に示すものは、飲み口に直接口を付けて内容液を飲むタイプのもので、飲料容器１は、容器本体２とこの容器本体２の上端開口部を開閉自在にする中蓋部材３及びこの中蓋部材３を更に開閉自在にする外蓋部材４とからなる。前記容器本体２は、ステンレスからなる内外２重の真空断熱二重壁構造体からなり、その上端外周面には、係合部としての螺子５を有する。
【０００４】
前記中蓋部材３は、樹脂製の下方が開口した円筒部材であり、その下方内周面に形成される螺子を容器本体２の上端外周面に形成される螺子５に螺合することにより容器本体２に取り付けられる。また、中蓋部材３の上面には、口に入る大きさの飲み口６が一体に形成され、更に、中蓋部材３の側部には、ヒンジ７が形成され、該ヒンジ７の反対側側面には、シーソ式のロックボタン８とストッパ片９とを有する。
【０００５】
前記外蓋部材４は、中蓋部材３と同様な樹脂製で下方が開口した略半円弧状の蓋で、その一側端部は、中蓋部材３の側部に形成されるヒンジ７に回転自在に軸支され、その反対側側部には係止溝１０が形成される。また、外蓋部材４の内底面には、キノコ状のパッキン１１が設けられ、該パッキン１１は、外蓋部材４の閉蓋時、中蓋部材３の上面に形成される飲み口６の先端に係合し、該飲み口６を閉鎖する。
【０００６】
また、外蓋部材４の内底面には、バネ機能を有する弾性部材１２が取り付けられる。この弾性部材１２は、一端が開口した円筒状のシリコン製の部材であり、その開口端は外蓋部材４の内底面に嵌合され、外蓋部材４の閉蓋時には、その閉鎖した先端は、中蓋部材３の上面に強く当接され、その全体は軸方向に押し付けられ縮んだ状態になる。
【０００７】
その開放は次のように行われる。ストッパ片９を下方にスライドさせると、ストッパ片９とロックボタン８との係合が外れ、ロックボタン８は、バネ１４の作用により支点１３を中心に反時計回りに回転し、ロックボタン８の先端の係止片と外蓋部材４の係止溝１０との係合が外れる。すると、外蓋部材４の内底面に嵌合されその全体が軸方向に押し付けられ縮んだ状態になっている前記弾性部材１２は、元の形状に戻ろうと伸張し、外蓋部材４をヒンジ７方向の斜め上方向に押し上げる。その結果、外蓋部材４はヒンジ７を支点にして略１８０度開放される。このように従来の飲料容器は、バネ機能を有する弾性部材１２を用いることにより、ワンタッチでの外蓋部材４の開放を容易にしている（例えば、特許文献１参照）。
【０００８】
このように従来の飲料容器、特に携帯用飲料容器は蓋を有し内容物が溢れないようになっており、さらに保温効果を有するものもあり、例えば自動車等で旅行をする場合等広く利用されている。
【０００９】
ところで、従来のものは、ワンタッチ式ではあるが、一方の手で容器本体２を持ち、ロックボタン８の位置を目で確認し、他方の手の指でロックボタン８を押して外蓋部材４を解放するものであり、例えば、自動車を運転しながら片手で容器本体２を持ち、ロックボタン８の位置を目で確認することなく、同じ手の指、例えば親指でロックボタン８を押して外蓋部材４を解放することは容易ではなく、無理に行おうとするロックボタン８の位置を目で確かめる必要がある等の欠点を有している。
【００１０】
また、飲料容器を横倒しの状態でおいた場合に、ロックボタン８が固いものに当たると外蓋部材４が解放し、内容物が溢れでる弊害を有していた。  
【特許文献１】特開２００５−１９３９４４
【発明の開示】
【発明が解決しようとする課題】
【００１１】
本願発明は、蓋の開放を回転部材の回転で行うようにすることにより、片手で飲料容器を持ち同じ手の指の操作で蓋の開放を可能にしてなる飲料容器を提供することを目的とする。
【課題を解決するための手段】
【００１２】
上記目的を達成するため、本願発明は以下の構成を採用する。
【００１３】
請求項１に係る発明では、容器本体と、該容器本体に取り付けられる中蓋部材と、該中蓋部材に取り付けられ係合が解除されるとバネ力により自動的に解放する外蓋部材と、取手を有する飲料容器において、前記外蓋部材との係合及び解除を行う回転部材を設け、片手で前記取手を持ち、持った手の指で前記回転部材を回転し前記外蓋部材の係合を解除する構成。そしてこのような構成により、片手で飲料容器を持ち同じ手の指の操作で蓋の開放が可能になる。また、飲料容器の転倒時、外蓋部材の係合が外れ外蓋部材が意志に反して開放することはなくなる。
【００１４】
請求項２に係る発明では、請求項１の構成に加え、前記外蓋部材にロック部材を設け、該ロック部材のロック時には前記回転部材は回転しない構成。そしてこのような構成により、請求項１に係る発明の作用に加え、子供の悪戯等、意志に反した開放がなくなる。
【００１５】
請求項３に係る発明では、請求項１又は２の構成に加え、前記回転部材に回転方向とは逆方向に作用する弾性部材を設ける構成。そしてこのような構成により、請求項１又は２に係る発明の作用に加え、力の作用方向が異なる弾性部材のいずれかを選定することにより回転部材の左右回転のいずれの使用も可能になる。
【００１６】
請求項４に係る発明では、請求項１ないし３のいずれか一の構成に加え、前記回転部材の外周であって前記取手の上方位置に前記回転部材を回転するための指係止部を設ける構成。そしてこのような構成により、請求項１ないし３のいずれか一に係る発明の作用に加え、片手での回転部材の回転がより容易になる。
【発明の効果】
【００１７】
請求項１に係る発明では、外蓋部材との係合及び解除を行う回転部材を設け、片手で容器本体の取手を持ち、持った手の指で回転部材を回転し、外蓋部材の係合を解除することにより、自動車の運転中においても、片手の操作で蓋の開放を容易に行うことができる。そのため、飲料容器の信頼性を向上することができる。また、飲料容器が転倒したとしても外蓋部材の係合が外れ内容物が流出する恐れをなくすことができる。
【００１８】
請求項２に係る発明では、外蓋部材にロック部材を設け、該ロック部材のロック時に回転部材を回転しないようにすることにより、請求項１又は２の効果に加え、子供の悪戯等、意志に反した外蓋部材の開放をなくすことができ、安全性を高めることができる。
【００１９】
請求項３に係る発明では、回転部材に回転方向とは逆方向に作用するバネ等の弾性部材を設けることにより、請求項１又は２の効果に加え、力の作用方向が異なるいずれかの弾性部材を選定することにより、必要に応じて左右回転いずれの回転部材を用いることができ、それだけ利便性を高めることができる。
【００２０】
請求項４に係る発明では、回転部材の外周であって取手の上方位置に回転部材を回転するための指係止部を設けることにより、請求項１ないし３のいずれか一の効果に加え、片手での回転部材の回転をより容易に行うことができる。
【実施例】
【００２１】
図１に断熱機能を有するワンタッチ開放式飲料容器の全体断面図を示し、図２に外蓋部材閉蓋時の拡大断面図を示し、図３に外蓋部材開蓋時の拡大断面図を示し、図４に中蓋部材とリング部材の拡大断面図を示し、図５〜９に回転部材の断面図、平面図、左側面図、背面図及び底面図を示し、図１０に弾性部材の平面図（図Ａ）及び側面図（図Ｂ）を示し、図１１にリング部材の平面図を示し、図１２、１３に回転部材非回転時、１０度回転時の断面図を示し、図１４〜１６にロック部材と回転部材との係合及び解除等の断面図を示し、図１７に全体の斜視図を示す。なお、以下においては飲料容器の一例であるマグカップを用いて説明をする。また、マグカップの取手側を後方或いは後方側とし、取手と反対側を前方或いは前方側とし、前後方向に直交する側を左右方向とする。注ぎ口は左側方向の取手と９０度ずれた位置になる。
【００２２】
マグカップＡは、容器本体２０、肩部材３０及び栓本体Ｗからなる。容器本体２０は、上方に開口部２５を有する中空円筒状の部材であり、ステンレス製の金属板よりなる内側筒状体２１、外側筒状体２２からなり、それら両部材２１、２２の上端部を溶着することにより図示のような内部空間２３を形成し、該内部空間２３を真空引きすることにより真空の閉断面構造体である真空二重壁断熱構造体を形成している。真空二重壁断熱構造体は、従来のガラス繊維や発泡スチロール等の断熱材に比べて遥かに断熱作用が高く、従来のものに比べて断熱性能が大きく向上する。また、外側筒状体２２の外周部は直接マグカップＡの外周面を形成することになるので、その面をステンレス製の地肌そのままの状態として使用することも、その外周面に人気キャラクターのデザインを付けることもできる。
【００２３】
また、外側筒状体２２の上方外周部には、後記する肩部材３０の係止片３３が係合するリング溝２４が設けられ、肩部材３０が取り付けられる。なお、容器本体２０は、一重壁であってもよいし、樹脂製であってもよい。
【００２４】
肩部材３０は、容器本体２０の開口部２５に取り付けられる筒状の樹脂製部材であり、その上端部は内方に折り曲げられ下方開口溝３１を有し、その略中間の外周部には外方に突き出た段部３２を有し、該段部３２の上方の小径の外周部には、後記するリング部材４０の雌ネジ４４と螺合する雄ネジ３５が形成される。さらにその下端部には内方に突き出た係止片３３を有する。そして、下方開口溝３１を容器本体２０の開口部２５を形成する上端部に上方から嵌合し、係止片３３を容器本体２０のリング溝２４に無理ばめ係合し、容器本体２０の開口部２５に肩部材３０を強固に取り付ける。その際、容器本体２０の上端部にパッキンを設けてもよい。なお、容器本体２０のリング溝２４を雄ネジとし、肩部材３０に雌ネジを設け、螺合により取り付けるようにしてもよい。
【００２５】
また、肩部材３０の後方側になる外周側面には、図１に示すように取手３４が一体に形成される。取手３４は、肩部材３０の外周側面から後方に張り出す短辺の水平部３４ａと、水平部３４ａ外端から下方に伸びる長辺の垂直部３４ｂを有しており、マグカップＡの使用時には、図１７に示すように垂直部３４ｂを片手で持ち同じ手の親指で後記する回転部材７０を操作することになる。
【００２６】
栓本体Ｗは、リング部材４０、環状スプリング５５、中蓋部材６０、回転部材７０及び外蓋部材８０からなる。リング部材４０は、肩部材３０の上方に位置する部材であり、下部筒状壁４１、段部４２及び上部水平壁４３を有する樹脂製の筒状部材である。下部筒状壁４１は下方に垂下するスカート状の大径部分であり、その内周面には雌ネジ４４を有する。段部４２は、下部筒状壁４１の上部に形成され、リング部材４０の上方に後記する回転部材７０が組み付けられた際には該回転部材７０の下端部が位置し、リング部材４０と回転部材７０との外周を略同一面にする。
【００２７】
前記上部水平壁４３は、段部４２の上方に形成される傾斜面４５の上端に形成される部分であり、傾斜面４５とで後記する回転部材７０の係止片７２が嵌合する係合溝４６を有する。そして上部水平壁４３上には、その内側に環状の垂直壁４７が立設し、その外側には、垂直壁４７と同じ高さの複数の垂直リブ４８が立設し、垂直壁４７の外方と垂直リブ４８内方との間に水平な環状空間であるスプリング収納空間４９を形成し、該スプリング収納空間４９には後記する環状スプリング５５が載置される。
【００２８】
また、上部水平壁４３上には、図１１に示すようにスプリング係合突起５０が形成される。このスプリング係合突起５０は、平面視略皿状でその先端部はスプリング収納空間４９に若干突き出ており、その高さは上部垂直壁４７及び垂直リブ４８よりは低い。そして、スプリング収納空間４９に若干突き出ている両端部はそれぞれスプリング端部受けとされる。即ち、図１１に示すようにスプリング端部受け５０ａは、容器本体２０を右手で持ち後記する回転部材７０を反時計方向に回転させる図１７に示すものに利用され、そのスプリング端部受け５０ａに図１０に示す環状スプリング５５の端部５５ａが当接される。そして、容器本体２０を左手で持ち回転部材７０を時計方向に回転させるものではスプリング端部受け５０ｂが利用され、該スプリング端部受け５０ｂにスプリング５５の端部が当接される。
【００２９】
符号５５は弾性部材でもある環状スプリングである。図１０に示すようにこの環状スプリング５５はリング状に形成されており、その長さは円周より長くされ、その両端部５５ａ及び５５ｂは上方へ折り曲げられている。図に示す環状スプリング５５は、容器本体２０を右手で持ち後記する回転部材７０を反時計方向に回転させるものに利用されるもので、図１０Ａで示す下側から上方に立設する端部５５ａを前記リング部材４０のスプリング端部受け５０ａに係合し、上側から上方に立設する端部５５ｂを後記する回転部材７０に係合する。この環状スプリング５５は、回転部材の回転方向とは逆方向に作用するバネであり、回転部材を回転すると縮み、回転部材から手を離すと元の状態に戻る。
【００３０】
中蓋部材６０は、略中間部に仕切り壁６１を有する断面略Ｈ字状の樹脂部材であり、該仕切り壁６１の左方側（図２の左側）には上下に貫通した開口部６２を有し、この開口部６２より内容物が流出する。開口部６２左方の仕切り壁６１は、上方に立設し注ぎ口６３を形成しており、この注ぎ口６３と反対の右方側（図２の右側）に向かいその上端は傾斜面６４とされ、さらにその右方側にはヒンジ６５が立設される。また中蓋部材６０の外周には、フランジ６６が外方に突き出る形態で環状に設けられており、その上面には、リング部材４０の上部水平壁４３が載せられ超音波溶着により固着される。また、フランジ６６下方の外周には環状凹部６７が形成され、この環状凹部６７内には図２等に示すように環状のシールパッキン６８が嵌合される。栓本体Ｗが肩部材３０に螺合されると、このシールパッキン６８は、肩部材３０の上端部に当接し、容器本体２０を密閉する。
【００３１】
回転部材７０はリング部材４０に無理ばめされる略筒状の樹脂部材であり、その中央には、中蓋部材６０の注ぎ口６３及びヒンジ６５が上方に突き出ることになる開口部７１を有し、その下端部には、リング部材４０の係合溝４６に係合される内方に突出する４個の円弧状の係止片７２が設けられる。また、回転部材７０の前後方向の外周面には、図５、図８に示すように矩形状の指係止部７３が対向して垂下されており、図１７に示すように該指係止部７３に親指を当てて回転部材７０を回転することになる。
【００３２】
また、回転部材７０の底面には、図９に示すように３個のスプリング抑えリブ７４と１個のスプリング端受け７５とが略等間隔に設けられており、回転部材７０が組み付けられるとスプリング抑えリブ７４は環状スプリング５５が浮き上がらないように上から抑える役目をし、スプリング端受け７５は、図１２、１３に示すように環状スプリング５５の端部５５ｂを支持する。
【００３３】
回転部材７０の左側の上面には、図７等に示すように円弧状部材７６が設けられる。円弧状部材７６は、その両側から外方に突き出た平行な２個の側壁７７、７７と、両側壁７７、７７のほぼ中間に外方に突き出た１個の突起体７８を有しており、図６に示すように平面視略山字状で、両側壁７７、７７と突起体７８との間に２つの凹部７７ａ、７７ａを有している。図７に示すように２個の側壁７７、７７は、円弧状部材７６と同じ高さを有するが、突起体７８は上方部で且つ両側壁７７、７７の中間よりは若干後方側にずれた位置に設けられ、その断面は略１／４円形状でその下方は水平下面７８ａとされている。そして、前記２つの凹部７７ａ、７７ａには後記するロック部材９０の２個の第２脚部９５、９５が上下方向に嵌入並びに離脱し、前記水平下面７８ａの下方には外蓋部材８０に設けられる棒状突起８８が水平方向に嵌入並びに離脱する。
【００３４】
外蓋部材８０は、中蓋部材６０の上方に設けられる樹脂製の蓋部材である。外蓋部材８０の後方側には、平面視コ字状に切り抜かれ、その左右方向に直線状の軸孔を有するヒンジ取付部８１が形成され、、平面視コ字状の切り抜き部分には中蓋部材６０のヒンジ６５が挿入され両部材の軸孔に軸８２を取り付けることにより外蓋部材８０を中蓋部材６０に対し回転自在に取り付ける。なお、軸８２にはバネ８３が取り付けられ、外蓋部材８０を図１７に示すように注ぎ口６３とは反対方向の右側方向に常時付勢する。
【００３５】
また、外蓋部材８０の底面略中央にはパッキン取付用リブ８４が垂下され、パッキン取付用リブ８４の先端には略キノコ状のパッキン８５が取り付けられる。そして、外蓋部材８０の閉蓋時、このパッキン８５の先端は、中蓋部材６０の開口部６２に当接し、容器本体２０を密閉する。
【００３６】
さらに外蓋部材８０の左方側である先端部には、上下方向に開口した細長い略矩形状の貫通孔８７をその底部に有する窪み８６が形成される。この窪み８６は、正面視矩形状で図１４〜１６に示すようにその両側には対向する側壁部８６ａ，８６ａを有し、後記するロック部材９０が嵌合される。また、貫通孔８７の下方には、同じく図１４〜１６、１７に示すように窪み８６の対向する両側壁部８６ａ，８６ａから直線状に垂下する形態で２つの側壁部８９、８９が対向して設けられる。この２つの側壁部８９、８９には、対向する形態で上部に第１溝８９ａが下部に第２溝８９ｂが設けられる。
【００３７】
そして、第１溝８９ａは、その上面が水平とされ、後記するロック部材９０の係止片９６との係合が外れにくくされており、また、第２溝８９ｂは、上方に向かって高くなる傾斜面とされ、後記するロック部材９０の係止片９６との係合が外れ易い形状とされている。
【００３８】
窪み８６の下方の外蓋部材８０の内側外周面には、棒状突起８８が内方に突出する形態で取り付けられる。該棒状突起８８は、図１４〜１６に示すようにその断面は略１／４円形状でその上方は水平上面８８ａとされ前記２つの側壁部８９、８９の下端部で且つ両側壁部８９、８９間の略中間位置に設けられており、外蓋部材８０の閉蓋時には棒状突起８８は、回転部材７０の突起体７８の下方に位置し、その水平上面８８ａは突起体７８の水平下面７８ａに当接し、上下方向の移動は規制されるが前後方向への移動は自由にされている。
【００３９】
ロック部材９０は、略平板状の樹脂部材であり、その上部には、ロック部材９０を上下動する際、指で押し下げたり或いは持ち上げたりすることを容易にするための外方に突き出た正面視略コ字状の突出部９１を有する。ロック部材９０下方には、前後側に２個の同形の側部切欠９２、９２が、中央に１個の中央切欠９３が設けられる。そして側部切欠９２、９２は中央切欠９３より上下方向に長くされている。
【００４０】
それぞれの側部切欠９２、９２の外方には、それぞれ第１脚部９４、９４が設けられ、それぞれの側部切欠９２、９２と中央切欠９３との間には第２脚部９５、９５が設けられる。第１脚部９４は、第２脚部９５よりも長く、それぞれの下端外周には係止片９６が設けられる。この係止片９６は、その上方が水平の略鉤形状をしており、側壁部８９、８９の第１溝８９ａ或いは第２溝８９ｂに係合する。また、２個の第２脚部９５、９５は、回転部材７０の円弧状部材７６の２つの凹部７７ａ、７７ａにそれぞれ上下方向に嵌入並びに離脱可能とされ、さらに中央切欠９３は、回転部材７０の突起体７８に上下方向に嵌入並びに離脱可能とされる。
【００４１】
ロック部材９０の取り付けは次のように行われる。外蓋部材８０の窪み８６の上方にロック部材９０を立てて置き、突出部９１を下方に押しロック部材９０を貫通孔８７内に押し込む。すると、第１脚部９４に設けられる係止片９６が側壁部８９、８９に当接するが構わず押し込むと係止片９６は、図１５に示すように第１溝８９ａに嵌入する。嵌入後にロック部材９０を引き抜こうとしても係止片９６上部の水平面が、第１溝８９ａ上部の水平面と係合し引き抜きが困難となる。即ち、ロック部材９０は無理ばめにより係合される。係合後、ロック部材９０をさらに押し込むと係止片９６は、第２溝８９ｂに嵌入し図１４に示す状態になる。第２溝８９ｂは傾斜面とされているため図１５で矢印で示すようにロック部材９０を引き上げ図１４から図１５の状態にすることは容易である。
【００４２】
次に、栓本体Ｗの取り付けについて述べる。まず、中蓋部材６０にリング部材４０を被せ、中蓋部材６０のフランジ６６上にリング部材４０の上部水平壁４３を載せ、フランジ６６と上部水平壁４３とを超音波溶着により固着し両部材を図４で示すように一体化する。
【００４３】
次いで、リング部材４０のスプリング収納空間４９に回転部材７０を反時計方向に回転させることができる環状スプリング５５を収納し、環状スプリング５５の端部５５ａをスプリング係合突起５０のスプリング端部受け５０ａに係止する。その後、リング部材４０に回転部材７０を被せ、回転部材７０のスプリング端受け７５に環状スプリング５５の他の端部５５ｂを係止し、回転部材７０に力を加え回転部材７０の開口部７１内にリング部材４０を押し込み、回転部材７０の係止片７２をリング部材４０の係合溝４６内に嵌合する。このような無理ばめにより両部材を一体化する。環状スプリング５５を組み付けた状態を図１２に示す。さらに回転部材７０を約１０度回転させた状態を図１３に示す。このように回転部材７０を回転させると環状スプリング５５の両端部５５ａ、５５ｂは離れる方向に移動する。
【００４４】
回転部材７０を取り付けると、回転部材７０の対向する２個の指係止部７３、７３は、図１に示すように前後方向に位置し、その一方の指係止部７３は、取手３４の上方になる。その結果、円弧状部材７６は図１で示す方向、即ちマグカップＡの左側に位置し、取手３４とは９０度ずれた位置になる。なお、注ぎ口６３も円弧状部材７６と同様に取手３４とは９０度ずれた位置になる。そのため、右手で取手３４を持ってマグカップＡを持ち上げた場合、口の位置に注ぎ口６３がくるため内容物が飲みやすくなる。
【００４５】
次いで、ロック部材９０を上述したような方法で組み付けた外蓋部材８０を取り付ける。その取り付けは、中蓋部材６０のヒンジ６５に外蓋部材８０のヒンジ取付部８１を挿入し両者を軸８２で軸支することにより行われる。そのばあい、軸８２にバネ８３が取り付けられるとともに、バネ８３の一端は外蓋部材８０に取り付けられ他端は中蓋部材６０に取り付けられる。その結果、図３に示すように外蓋部材８０は常時開放状態になる。
【００４６】
その状態から外蓋部材８０を閉蓋すると、閉蓋直前の状態は、外蓋部材８０の棒状突起８８の下方の円弧面が回転部材７０の突起体７８の上方の円弧面に当接する。構わず外蓋部材８０を閉蓋すると、外蓋部材８０の棒状突起８８の下方の円弧面が回転部材７０の突起体７８の上方の円弧面を押す。すると、突起体７８は回転部材７０とともに図１６で矢印で示す方向、即ち反時計方向に回転し、外蓋部材８０の棒状突起８８は図１６で示すように下方にくる。すると、回転部材７０は環状スプリング５５の戻り力により元の位置に戻り外蓋部材８０の棒状突起８８は回転部材７０の突起体７８の直下である図１４の状態の位置になり、外蓋部材８０の上動が規制され閉蓋する。
【００４７】
その後、ロック部材９０を押し下げると、ロック部材９０の第１脚部９４、９４に設けられる係止片９６は第２溝８９ｂに嵌入するとともに、第２脚部９５、９５は円弧状部材７６の凹部７７ａに嵌入する。そのため回転部材７０の回転が規制される。
【００４８】
回転部材７０を回転するためには、図１４のロック状態にあるロック部材９０を図１５で矢印で示すように上動させ、次いで図１６に示すように回転部材７０を矢印方向に回転することにより行われる。その場合の指の動作は、図１７に示すように右手で取手３４を持ち、右手の親指で回転部材７０を矢印の方向である反時計方向に約１０度回転することにより行われる。
【００４９】
本願発明は、上記実施例の構成に限定されるものではなく、発明の要旨を逸脱しない範囲において適宜設計変更可能であることは勿論である。
【図面の簡単な説明】
【００５０】
【図１】本願発明の飲料容器の左側面からみた全体図
【図２】図１のＡ−Ａ線の蓋部材の拡大断面図
【図３】本願発明の飲料容器の外蓋部材開蓋時の拡大断面図
【図４】本願発明の飲料容器の中蓋部材とリング部材の拡大断面図
【図５】本願発明の飲料容器の回転部材の断面図
【図６】本願発明の飲料容器の回転部材の平面図
【図７】本願発明の飲料容器の回転部材を左側面からみた図
【図８】本願発明の飲料容器の回転部材を後方側からみた図
【図９】本願発明の飲料容器の回転部材の底面図
【図１０】本願発明の飲料容器の弾性部材の平面図（図Ａ）、及び側面図（図Ｂ）
【図１１】本願発明の飲料容器のリング部材の平面図
【図１２】図３のＣ−Ｃ線の回転部材非回転時の断面図
【図１３】図３のＣ−Ｃ線の回転部材１０度回転時の断面図
【図１４】図２のＢ−Ｂ線のロック時で閉蓋時の断面図
【図１５】図２のＢ−Ｂ線のロック解除時で閉蓋時の断面図
【図１６】図２のＢ−Ｂ線のロック解除時で開蓋直前時の断面図
【図１７】本願発明の飲料容器を片手でもって同じ手の親指で外蓋部材を開放した斜視図
【図１８】従来の飲料容器の外蓋部材閉蓋時の拡大断面図
【符号の説明】
【００５１】
２０…容器本体              ２１…内側筒状体
２２…外側筒状体            ２３…内部空間
２４…リング溝              ２５…開口部
３０…肩部材                ３１…下方開口溝
３２…段部                  ３３…係止片
３４…取手                  ３４ａ…水平部
３４ｂ…垂直部              ３５…雄ネジ
４０…リング部材            ４１…下部筒状壁
４２…段部                  ４３…上部水平壁
４４…雌ネジ                ４５…傾斜面
４６…係合溝                ４７…垂直壁
４７…上部垂直壁            ４８…垂直リブ
４９…スプリング収納空間    ５０…スプリング係合突起
５０ａ…スプリング端部受け  ５０ｂ…スプリング端部受け
５５…環状スプリング        ５５ａ，５５ｂ…端部
６０…中蓋部材              ６１…仕切り壁
６２…開口部                ６３…注ぎ口
６４…傾斜面                ６５…ヒンジ
６６…フランジ              ６７…環状凹部
６８…シールパッキン        ７０…回転部材
７１…開口部                ７２…係止片
７３…指係止部              ７４…スプリング抑えリブ
７５…スプリング端受け      ７６…円弧状部材
７７…側壁                  ７７ａ…凹部
７８…突起体                ７８ａ…水平下面
８０…外蓋部材              ８１…ヒンジ取付部
８２…軸                    ８３…バネ
８４…パッキン取付用リブ    ８５…パッキン
８６…窪み                  ８６ａ…側壁部
８７…貫通孔                ８８…棒状突起
８８ａ…水平上面            ８９…側壁部
８９ａ…第１溝              ８９ｂ…第２溝
９０…ロック部材            ９１…突出部
９２…側部切欠              ９３…中央切欠
９４…第１脚部              ９５…第２脚部
９６…係止片
【図１】
2008239164.tif 000003
【図２】
2008239164.tif 000004
【図３】
2008239164.tif 000005
【図４】
2008239164.tif 000006
【図５】
2008239164.tif 000007
【図６】
2008239164.tif 000008
【図７】
2008239164.tif 000009
【図８】
2008239164.tif 000010
【図９】
2008239164.tif 000011
【図１０】
2008239164.tif 000012
【図１１】
2008239164.tif 000013
【図１２】
2008239164.tif 000014
【図１３】
2008239164.tif 000015
【図１４】
2008239164.tif 000016
【図１５】
2008239164.tif 000017
【図１６】
2008239164.tif 000018
【図１７】
2008239164.tif 000019
【図１８】
2008239164.tif 000020